【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
基板上に形成されたＮ本の走査線と、Ｍ本の信号線と、前記走査線と前記信号線との各交差部に配置されたＮ×Ｍ個の画素とを有する表示領域とを備えた液晶パネルとを有する液晶表示装置であって、
前記液晶パネルに正の極性または負の極性を有する映像信号が各画素に入力させることによって表示が行われ、
前記Ｎ本の走査線には、ゲートドライバ回路からそれぞれ走査信号が入力され、
前記Ｍ本の信号線のうちの互いに隣り合うｎ（Ｍ＞ｎ≧２）本の信号線には、同一極性を有する前記映像信号がそれぞれ入力され、
前記正の極性を有する映像信号が入力された信号線に接続される画素群と、前記負の極性を有する映像信号が入力された信号線に接続される画素群との境界部を周期的に移動させることを特徴とする液晶表示装置。
【請求項２】
基板上に形成されたＮ本の走査線と、Ｍ本の信号線と、前記走査線と前記信号線との各交差部に配置されたＮ×Ｍ個の画素とを有する表示領域とを備えた液晶パネルとを有する液晶表示装置であって、
前記液晶パネルに正の極性または負の極性を有する映像信号が各画素に入力させることによって表示が行われ、
前記Ｎ本の走査線には、ゲートドライバ回路からそれぞれ走査信号が入力され、
前記Ｍ本の信号線のうちの互いに隣り合うｎ（Ｍ＞ｎ≧２）本の信号線には、同一極性を有する前記映像信号がそれぞれ入力され、
前記正の極性を有する映像信号が入力された信号線に接続される画素群と、前記負の極性を有する映像信号が入力された信号線に接続される画素群との境界部を１フレーム間隔毎に移動させることを特徴とする液晶表示装置。
【請求項３】
基板上に形成されたＮ本の走査線と、Ｍ本の信号線と、前記走査線と前記信号線との各交差部に配置されたＮ×Ｍ個の画素とを有する表示領域とを備えた液晶パネルとを有する液晶表示装置であって、
前記液晶パネルに正の極性または負の極性を有する映像信号が各画素に入力させることによって表示が行われ、
前記Ｎ本の走査線には、ゲートドライバ回路からそれぞれ走査信号が入力され、
前記Ｍ本の信号線のうちの互いに隣り合うｎ（Ｍ＞ｎ≧２）本の信号線には、同一極性を有する前記映像信号がそれぞれ入力され、
前記正の極性を有する映像信号が入力された信号線に接続される画素群と、前記負の極性を有する映像信号が入力された信号線に接続される画素群との境界部を１フィールド間隔毎に移動させることを特徴とする液晶表示装置。
【請求項４】
請求項１乃至請求項３において、前記液晶表示装置は、
正の極性を有する映像信号が入力される第１の映像信号配線と、
負の極性を有する映像信号が入力される第２の映像信号線配線とを有することを特徴とする液晶表示装置。
【請求項５】
請求項１乃至請求項４のいずれか一において、前記液晶パネルは、前記走査線と前記信号線との各交差部にスイッチング素子を有することを特徴とする液晶表示装置。
【請求項６】
請求項１乃至請求項５のいずれか一において、前記液晶表示装置は、前記信号線に入力する映像信号の極性を選択する選択回路を有することを特徴とする液晶表示装置。
【請求項７】
請求項５において、前記走査線と、前記信号線と、前記スイッチング素子を同一基板上に有することを特徴とする液晶表示装置。
【請求項８】
請求項６において、前記走査線と、前記信号線と、前記スイッチング素子と、前記選択回路とを同一基板上に有することを特徴とする液晶表示装置。
【請求項９】
基板上に形成されたＮ本の走査線と、Ｍ本の信号線と、前記走査線と前記信号線との各交差部に配置されたＮ×Ｍ個の画素とを有する表示領域とを備えた液晶パネルとを有するアクティブマトリクス型液晶表示装置であって、
前記表示領域に正の極性または負の極性を有する映像信号が入力されることによって表示が行われ、
前記Ｎ本の走査線には、ゲートドライバ回路からそれぞれ走査信号が入力され、
前記表示領域に少なくとも４種類の極性パターンを順次表示する映像信号を形成する回路を有することを特徴とするアクティブマトリクス型液晶表示装置。
【請求項１０】
請求項９において、前記表示領域に少なくとも４種類の極性パターンを１フレームまたは１フィールド間隔毎に順次表示し、前記極性パターンの種類と同数のフレームを一周期として順次表示する回路を有することを特徴とするアクティブマトリクス型液晶表示装置。
【請求項１１】
請求項９または請求項１０において、前記画素のぞれぞれに入力される映像信号の極性を複数フレームまたは複数フィールド期間毎に反転する回路を有することを特徴とするアクティブマトリクス型液晶表示装置。
【請求項１２】
基板上に形成されたＮ本の走査線と、Ｍ本の信号線と、前記走査線と前記信号線との各交差部に配置されたＮ×Ｍ個の画素とを有する表示領域とを備えた液晶パネルとを有するアクティブマトリクス型液晶表示装置であって、
前記表示領域に正の極性または負の極性を有する映像信号が入力されることによって表示が行われ、
前記Ｎ本の走査線には、ゲートドライバ回路からそれぞれ走査信号が入力され、
前記表示領域に少なくとも２種類の異なるディスクリネーションパターンが、表示されることを特徴とするアクティブマトリクス型液晶表示装置。
【請求項１３】
請求項１２において、前記ディスクリネーションパターンを１フレームまたは１フィールド間隔毎に前記表示領域に順次表示することを特徴とするアクティブマトリクス型液晶表示装置。
【請求項１４】
基板上に形成されたＮ本の走査線と、Ｍ本の信号線と、前記走査線と前記信号線との各交差部に配置されたＮ×Ｍ個の画素とを有する表示領域とを備えた液晶パネルとを有する液晶表示装置であって、
前記表示領域が有する信号線には電気的に接続された選択回路を介して、正の極性を有する映像信号または負の極性を有する映像信号が入力され、
前記Ｎ本の走査線には、ゲートドライバ回路からそれぞれ走査信号が入力され、
前記表示領域が有する走査線には、ゲートドライバ回路からそれぞれ信号が入力され、
前記表示領域に少なくとも２種類の異なるディスクリネーションパターンが、表示されることを特徴とするアクティブマトリクス型液晶表示装置。
【請求項１５】
基板上に形成されたＮ本の走査線と、Ｍ本の信号線と、前記走査線と前記信号線との各交差部に配置されたＮ×Ｍ個の画素とを有する表示領域を備えた液晶パネルとを有する液晶表示装置であって、
タイミング発生回路から出力された選択信号が選択回路に入力され、
前記表示領域が有する信号線には電気的に接続された前記選択回路を介して、ビデオコントロール回路から出力された正の極性を有する映像信号または負の極性を有する映像信号が入力され、
前記表示領域が有する走査線には、ゲートドライバ回路からそれぞれ信号が入力され、
前記表示領域に少なくとも２種類の異なるディスクリネーションパターンが、表示されることを特徴とするアクティブマトリクス型液晶表示装置。
【請求項１６】
基板上に形成されたＮ本の走査線と、Ｍ本の信号線と、前記走査線と前記信号線との各交差部に配置されたＮ×Ｍ個の画素とを有する表示領域を備えた液晶表示パネルを有し、
前記画素に正の極性を有する映像信号または負の極性を有する映像信号を入力することによって映像表示を行うアクティブマトリクス型液晶表示装置の駆動方法であって、
前記Ｎ本の走査線には、ゲートドライバ回路からそれぞれ走査信号が入力し、
前記表示領域にＺ（Ｚ＞２）種類の極性パターンを順次表示することを特徴とするアクティブマトリクス型液晶表示装置の駆動方法。
【請求項１７】
請求項１６において、前記Ｚ種類の極性パターンを１フレームまたは１フィールド間隔毎に前記表示領域へ表示し、且つ、Ｚフレームを一周期として順次表示することを特徴とするアクティブマトリクス型液晶表示装置の駆動方法。
【請求項１８】
基板上に形成されたＮ本の走査線と、Ｍ本の信号線と、前記走査線と前記信号線との各交差部に配置されたＮ×Ｍ個の画素とを有する表示領域を備えた液晶表示パネルを有し、
前記画素に正の極性を有する映像信号または負の極性を有する映像信号を入力することによって映像表示を行うアクティブマトリクス型液晶表示装置の駆動方法であって、
前記Ｎ本の走査線には、ゲートドライバ回路からそれぞれ走査信号が入力し、
少なくとも２種類の異なるディスクリネーションパターンを前記表示領域に表示することを特徴とするアクティブマトリクス型液晶表示装置の駆動方法。
【請求項１９】
請求項１８において、前記ディスクリネーションパターンを１フレームまたは１フィールド間隔毎に前記表示領域へ順次表示することを特徴とするアクティブマトリクス型液晶表示装置の駆動方法。